(57)【要約】【課題】基礎断熱住宅の床下の換気構造において床下の耐久性の向上だけでなく、住宅の室内環境の快適性の向上を、自然エネルギーを利用して実現することを課題とする。【解決手段】建物の基礎立ち上がり部に断熱材が設けられた基礎断熱住宅において、室内の空気を床下へ取り込む給気口と、床下の空気を室内へ取り込む排気口と、屋外から床下へ空気を取り込むことのできる開閉可能な屋外空気取込口と、床下と室内との間で空気を強制循環させる強制換気手段と、屋外、床下及び室内の温度に応じて屋外空気取込口の開閉を制御する制御手段が備えられている基礎断熱住宅の床下換気構造によって解決される。【選択図】    図２
2008184792.tif 000002
【特許請求の範囲】
【請求項１】
建物の基礎立ち上がり部に断熱材が設けられた基礎断熱住宅において、
室内の空気を床下へ取り込む給気口と、
床下の空気を室内へ取り込む排気口と、
床下と室内との間で空気を強制循環させる強制換気手段が備えられていることを特徴とする基礎断熱住宅の床下換気構造。
【請求項２】
建物の基礎立ち上がり部に断熱材が設けられた基礎断熱住宅において、
室内の空気を床下へ取り込む給気口と、
床下の空気を室内へ取り込む排気口と、
屋外から床下へ空気を取り込むことのできる開閉可能な屋外空気取込口と、
床下と室内との間で空気を強制循環させる強制換気手段と、
屋外、床下及び室内の温度に応じて前記屋外空気取込口の開閉を制御する制御手段が備えられていることを特徴とする基礎断熱住宅の床下換気構造。
【請求項３】
前記強制換気手段が除湿機能を有している請求項１又は請求項２に記載の基礎断熱住宅の床下換気構造。
【発明の詳細な説明】
【技術分野】
【０００１】
本発明は、基礎断熱住宅の床下換気構造に関する。
【背景技術】
【０００２】
建物の断熱性能を上げるため、建物の基礎の立ち上がり部に断熱材を設け、床下も含めて屋外から断熱する基礎断熱工法が用いられている。
【０００３】
基礎断熱住宅では、換気を行わず床下を密閉してしまうため、湿度が高い場合、床下でカビが発生したり結露が起きるなど、建物の耐久性上問題となる。
そこで基礎断熱住宅において床下換気を行おうとすると、床に断熱材がないため室内の空調された熱が床を通じて床下に移動するため、夏季及び冬季に熱損失が大きくなる。
【０００４】
上記の問題点を解決するため、室内の空気を床下に導くとともに、床下の空気を屋外に排出する基礎断熱住宅の床下換気構造が提案されている。
【０００５】
【特許文献１】特開平１０−３３１２７７号公報
【発明の開示】
【発明が解決しようとする課題】
【０００６】
しかし、基礎断熱住宅における床下の換気構造において床下の耐久性の向上を目的とした提案はされているが、住宅の快適性までも考慮した提案はなされていない。
【０００７】
本発明は、基礎断熱住宅の床下の換気構造において床下の耐久性の向上だけでなく、住宅の室内環境の快適性の向上を、自然エネルギーを利用して実現することを課題とする。
【課題を解決するための手段】
【０００８】
上記の課題は、建物の基礎立ち上がり部に断熱材が設けられた基礎断熱住宅において、室内の空気を床下へ取り込む給気口と、床下の空気を室内へ取り込む排気口と、床下と室内との間で空気を強制循環させる強制換気手段が備えられていることを特徴とする基礎断熱住宅の床下換気構造により解決される。
【０００９】
この基礎断熱住宅の床下換気構造では、床下と室内との間で空気を強制循環させる強制換気手段により、室内の空気を床下へ取り込むとともに、床下の空気を室内へ取り込むため、床下の空気が換気される。
【００１０】
さらに、床下の空気が直接屋外に排出されるのではなく、室内に取り込まれるため、夏季における床下の空気の温度が室内の空気の温度より低い場合は、床下の冷たい空気を室内に取り込むことにより、室内の快適性が図れるとともに、冬季における床下の空気の温度が室内の空気の温度より高い場合は、床下の暖かい空気を室内に取り込むことにより室内の快適性が図れ、室内の快適性の向上を特別なエネルギーを使うことなく実現することができる。
【００１１】
また、建物の基礎立ち上がり部に断熱材が設けられた基礎断熱住宅において、室内の空気を床下へ取り込む給気口と、床下の空気を室内へ取り込む排気口と、屋外から床下へ空気を取り込むことのできる開閉可能な屋外空気取込口と、床下と室内との間で空気を強制循環させる強制換気手段と、屋外、床下及び室内の温度に応じて屋外空気取込口の開閉を制御する制御手段が備えられていることを特徴とする基礎断熱住宅の床下換気構造によっても解決される。
【００１２】
この基礎断熱住宅の床下換気構造では、床下と室内との間で空気を強制循環させる強制換気手段により、室内の空気を床下へ取り込むとともに、床下の空気を室内へ取り込むため、床下の空気が換気されるとともに、屋外から床下へ空気を取り込むことのできる開閉可能な屋外空気取込口と屋外、床下及び室内の温度に応じて前記屋外空気取込口の開閉を制御する制御手段により、屋外、床下及び室内の空気の温度状況に応じて、適切な床下換気が行われるため、室内の快適性の向上をより効果的に自然エネルギーを利用して実現することができる。
【００１３】
つまり、夏季の日中では、外気が一番温度が高く、室内、床下と順に温度が下がるので、該制御手段は屋外空気取込口を閉じ、室内と床下間で空気の循環を行うことにより、床下の冷たい空気を室内に取り込む。一方、夏季の夜間では、床下が一番温度が高く、室内、外気と順に温度が下がるので、制御手段は屋外空気取込口を開け、屋外から床下へ冷たい空気を床下へ取り込み、さらに床下の空気を室内へ取り込む。
【００１４】
制御手段は、屋外、床下及び室内の空気の温度に応じて適切に屋外空気取込口の開閉を制御することにより、自然エネルギーを利用して、床下の耐久性向上だけでなく、室内の快適性の向上を図ることができる。
【００１５】
さらに、基礎断熱住宅の床下換気構造において、強制換気手段が除湿機能を有しているとよい。
【００１６】
強制換気手段が除湿機能を有していることで強制循環される空気が除湿され、より効果的に床下の湿気が除去され床下の環境が改善され、床下の耐久性の向上を図ることができる。
【発明の効果】
【００１７】
本発明は以上のとおりであるから、基礎断熱住宅の床下の換気構造において床下の耐久性の向上だけでなく、住宅の室内環境の快適性の向上を自然エネルギーを利用して実現することができる。
【発明を実施するための最良の形態】
【００１８】
次に、本発明の実施最良形態を図面に基づいて説明する。
【００１９】
図１に示す基礎断熱住宅の床下換気構造１において、２は給気口、３は排気口、４は強制換気手段、５は屋外空気取入口、６は制御手段である。また、７は室内、８は床下、９は屋外である。
【００２０】
基礎の立ち上がり部に断熱材が設けられた基礎断熱住宅において、床面に設けられた給気口２及び排気口３により、空気が循環可能に室内７と床下８とが連通され、床下に設置された強制換気手段４を稼動することにより、室内７と床下８の空気が循環される。
【００２１】
また、基礎立ち上がり部にはダンパー５ａの動作により開閉可能な屋外空気取込口５が設けられている。制御手段６は、室内７、床下８及び屋外９の温度を測定するセンサーからの信号をもとに、ダンパー５ａを制御し、屋外空気取込口５の開閉を行う。
【００２２】
図１（イ）に示す、夏季の日中における床下換気構造１の作動状況において、室内７、床下８及び屋外９のそれぞれの気温は、屋外９が一番高く、室温７、床下８の順に低くなる。
【００２３】
この各所の温度状況を感知した制御手段はダンパー５ａを制御し、屋外空気取込口５を閉じる動作を行うことにより、屋外９の温度の高い空気を床下８に取込むことなく、室内７と床下８との間で空気の循環が行われる。室内７と床下８との間で空気の循環が行われるため、床下８に湿った空気が滞留することなく、床下８の環境が改善されるとともに、床下８の涼しい空気が屋外９に直接排出されることなく、室内７へ導かれるので、室内７の空気が床下８の涼しい空気で冷やされ、夏季の日中の室内の快適性の向上を特別なエネルギーを利用することなく自然エネルギーを利用して実現することができる。
【００２４】
図１（ロ）に示す、夏季の夜間における床下換気構造１の作動状況において、室内７、床下８及び屋外９のそれぞれの気温は、床下８が一番高く、室温７、屋外９の順に低くなる。
【００２５】
この各所の温度状況を感知した制御手段はダンパー５ａを制御し、屋外空気取込口５を開く動作を行うことにより、屋外９の温度の低い空気を床下８に取込みながら、室内７と床下８との間で空気の循環が行われる。室内７と床下８との間で空気の循環が行われるため、床下８に湿った空気が滞留することなく、床下８の環境が改善されるとともに、屋外９の涼しい空気を床下８に取込ながら、床下８へ取込まれた屋外９の涼しい空気が屋外９に直接排出されることなく、室内７へ導かれるので、室内７の空気が床下８を通じて導かれる屋外９の涼しい空気で冷やされ、夏季の夜間の室内の快適性の向上を、特別なエネルギーを利用することなく自然エネルギーを利用して実現することができる。
【００２６】
冬季においては、床下空間の湿度は低く、床下空間を換気する必要はない。しかし、室内７を暖房しない場合、床下８の気温は室内７の気温より高いため、床下８の暖かい空気を利用するために、強制換気手段４を稼動されることにより、床下８の暖かい空気を室内７に導くことにより、冬季の室内の快適性の向上を特別なエネルギーを利用することなく自然エネルギーを利用して実現することができる。
【００２７】
図２に示す第２の発明の実施形態では、床下に設置されている強制換気手段４に除湿機能を付加する除湿装置１０が付加されている。強制換気手段４を稼動されるとともに、除湿機能を有する除湿装置１０も稼動させることにより、強制換気手段４により循環する空気は、強制換気手段４を通過することにより、除湿され循環する空気の湿度は低減される。他の実施条件、効果は第１の発明の実施形態を同様である。
【００２８】
以上に、本発明の実施形態を示したが、本発明はこれに限られるものではなく、発明思想を逸脱しない範囲で各種の変更が可能である。例えば、上記の実施形態では、冬季において、強制循環装置により室内と床下の空気を循環させる場合について示したが、冬季においては強制換気手段を稼動させず、空気の温度差上昇を利用して、自然換気するようにしてもよい。
【００２９】
また、冬季など床下の湿度が高く、床下換気をする必要がない場合は、強制換気手段を稼動させなくてもよく、また、給気口、排気口を閉じれる構造となっていてもよい。
【図面の簡単な説明】
【００３０】
【図１】床下換気構造の作動状況を示す図であって、図（イ）は夏季の日中の状況を示す説明図、図（ロ）は夏季の夜間の状況を示す説明図である。
【図２】床下換気構造の第２の実施形態の作動状態を示す説明図である。
【符号の説明】
【００３１】
１・・・床下換気構造
２・・・給気口
３・・・排気口
４・・・強制換気手段
５・・・屋外空気取込口
６・・・制御手段
７・・・室内
８・・・床下
９・・・屋外
１０・・・除湿手段
【図１】
2008184792.tif 000003
【図２】
2008184792.tif 000004